【手続補正書】
【提出日】平成17年8月12日(2005.8.12)
【手続補正１】
【補正対象書類名】明細書
【補正対象項目名】発明の名称
【補正方法】変更
【補正の内容】
【発明の名称】ダウンロード管理方法、ダウンロード管理システム、および管理サーバ
【手続補正２】
【補正対象書類名】明細書
【補正対象項目名】特許請求の範囲
【補正方法】変更
【補正の内容】
【特許請求の範囲】
【請求項１】
ネットワークを介して接続される端末と管理サーバとを含むネットワークシステムにおいて、アプリケーション等のダウンロードを管理するダウンロード管理方法であって、
前記管理サーバで管理され前記端末がダウンロード可能なアプリケーション等を表したメニューを前記端末に提示するステップと、
前記端末のユーザにより前記メニュー上の複数のアプリケーション等から選択された一つのアプリケーション等をダウンロードさせるステップと、
前記選択されたアプリケーション等の少なくとも一部がダウンロードされ前記端末内に格納されたとき、前記管理サーバに前記選択されたアプリケーション等のレコードを生成するステップとを備え、
前記レコードは、前記選択されたアプリケーション等の利用権を更新するために用いられる
ことを特徴とするダウンロード管理方法。
【請求項２】
ネットワークを介して接続される端末と管理サーバとを含むネットワークシステムにおいて、アプリケーション等のダウンロードを管理するダウンロード管理方法であって、
前記管理サーバで管理され前記端末がダウンロード可能なアプリケーション等を表したメニューを前記端末に提示するステップと、
前記端末のユーザにより前記メニュー上の複数のアプリケーション等から選択された一つのアプリケーション等をダウンロードさせるステップと、
前記選択されたアプリケーション等の少なくとも一部がダウンロードされ前記端末内に格納されたとき、前記管理サーバに前記選択されたアプリケーション等のレコードを生成するステップとを備え、
前記レコードは、前記選択されたアプリケーション等の利用期間または試用期間の間、前記選択されたアプリケーション等を再ダウンロードするために用いられる
ことを特徴とするダウンロード管理方法。
【請求項３】
請求項１または２に記載のダウンロード管理方法であって、前記端末と前記管理サーバとの間のネットワーク経路の少なくとも一部は無線通信の部分を含むダウンロード管理方法。
【請求項４】
請求項１または２に記載のダウンロード管理方法であって、コンピュータネットワークを介して前記管理サーバ上の前記メニューにアプリケーション等を登録するステップを含むダウンロード管理方法。
【請求項５】
請求項１または２に記載のダウンロード管理方法であって、前記メニューは、前記端末からアプリケーション等をダウンロード可能なＵＲＬを含む複数の管理レコードに対応しているダウンロード管理方法。
【請求項６】
請求項１または２に記載のダウンロード管理方法であって、前記メニューは、利用期間を含む複数の管理レコードに対応しているダウンロード管理方法。
【請求項７】
請求項１または２に記載のダウンロード管理方法であって、前記メニューは、試用期間を含む複数の管理レコードに対応しているダウンロード管理方法。
【請求項８】
請求項１または２に記載のダウンロード管理方法であって、前記レコードは、会員ＩＤに対応づけられているダウンロード管理方法。
【請求項９】
請求項１または２に記載のダウンロード管理方法であって、前記メニューはカテゴリ別に構成されているダウンロード管理方法。
【請求項１０】
請求項１または２に記載のダウンロード管理方法であって、前記アプリケーション等の利用権の更新は、電子マネーによる使用料の支払いがあったことを条件とし、前記端末に新たな利用期限を通知することにより行われるダウンロード管理方法。
【請求項１１】
ネットワークを介して接続される端末と管理サーバとを含むネットワークシステムにおいて、アプリケーション等のダウンロードを管理するダウンロード管理システムであって、
前記管理サーバは、前記管理サーバにより管理され前記端末がダウンロード可能なアプリケーション等を表したメニューを前記端末に提示し、
前記管理サーバは、前記端末、前記端末のユーザにより前記メニュー上の複数のアプリケーション等から選択された一つのアプリケーション等をダウンロードさせ、
前記管理サーバは、前記選択されたアプリケーション等の少なくとも一部がダウンロードされ前記端末内に格納されたとき、前記管理サーバに前記選択されたアプリケーション等のレコードを生成し、
前記レコードは、前記選択されたアプリケーション等の利用権を更新するために用いられる
ことを特徴とするダウンロード管理システム。
【請求項１２】
ネットワークを介して接続される端末と管理サーバとを含むネットワークシステムにおいて、アプリケーション等のダウンロードを管理するダウンロード管理システムであって、
前記管理サーバは、前記管理サーバにより管理され前記端末がダウンロード可能なアプリケーション等を表したメニューを前記端末に提示し、
前記管理サーバは、前記端末に、前記端末のユーザにより前記メニュー上の複数のアプリケーション等から選択された一つのアプリケーション等をダウンロードさせ、
前記管理サーバは、前記選択されたアプリケーション等の少なくとも一部がダウンロードされ前記端末内に格納されたとき、前記管理サーバに前記選択されたアプリケーション等のレコードを生成し、
前記レコードは、前記選択されたアプリケーション等の利用期間または試用期間の間、前記選択されたアプリケーション等を再ダウンロードするために用いられる
ことを特徴とするダウンロード管理システム。
【請求項１３】
請求項１１または１２に記載のダウンロード管理システムであって、前記端末と前記管理サーバとの間のネットワーク経路の少なくとも一部は無線通信の部分を含むことを特徴とするダウンロード管理システム。
【請求項１４】
請求項１１または１２に記載のダウンロード管理システムであって、前記管理サーバは、前記管理サーバ上の前記メニューにアプリケーション等を登録し、前記メニュー内に登録されるアプリケーション等は、アプリケーション等ベンダによりコンピュータネットワークを介して前記管理サーバへ送信されるダウンロード管理システム。
【請求項１５】
請求項１１または１２に記載のダウンロード管理システムであって、前記メニューは、前記端末からアプリケーション等をダウンロード可能なＵＲＬを含む複数の管理レコードに対応しているダウンロード管理システム。
【請求項１６】
請求項１１または１２に記載のダウンロード管理システムであって、前記メニューは、利用期間を含む複数の管理レコードに対応しているダウンロード管理システム。
【請求項１７】
請求項１１または１２に記載のダウンロード管理システムであって、前記メニューは、試用期間を含む複数の管理レコードに対応しているダウンロード管理システム。
【請求項１８】
請求項１１または１２に記載のダウンロード管理システムであって、前記レコードは、会員ＩＤに対応づけられているダウンロード管理システム。
【請求項１９】
請求項１１または１２に記載のダウンロード管理システムであって、前記メニューはカテゴリ別に構成されているダウンロード管理システム。
【請求項２０】
請求項１１または１２に記載のダウンロード管理システムであって、前記アプリケーション等の利用権の更新は、電子マネーによる使用料の支払いがあったことを条件とし、前記端末に新たな利用期限を通知することにより行われるダウンロード管理システム。
【請求項２１】
端末を含むネットワークシステムにおいてアプリーションのダウンロードを管理する管理サーバであって、
前記管理サーバは、前記管理サーバにより管理され前記端末がダウンロード可能なアプリケーション等を表したメニューを前記端末に提示し、
前記管理サーバは、前記端末に、前記端末のユーザにより前記メニュー上の複数のアプリケーション等から選択された一つのアプリケーション等をダウンロードさせ、
前記管理サーバは、前記選択されたアプリケーション等の少なくとも一部がダウンロードされ前記端末内に格納されたとき、前記管理サーバに前記選択されたアプリケーション等のレコードを生成し、
前記レコードは、当該選択されたアプリケーション等の利用権を更新するために用いられる
ことを特徴とする管理サーバ。
【請求項２２】
端末を含むネットワークシステムにおいてアプリーションのダウンロードを管理する管理サーバであって、
前記管理サーバは、前記管理サーバにより管理され前記端末がダウンロード可能なアプリケーション等を表したメニューを前記端末に提示し、
前記管理サーバは、前記端末に、前記端末のユーザにより前記メニュー上の複数のアプリケーション等から選択された一つのアプリケーション等をダウンロードさせ、
前記管理サーバは、前記選択されたアプリケーション等の少なくとも一部がダウンロードされ前記端末内に格納されたとき、前記管理サーバに前記選択されたアプリケーション等のレコードを生成し、
前記レコードは、前記選択されたアプリケーション等の利用期間または試用期間の間、前記選択されたアプリケーション等を再ダウンロードするために用いられる
ことを特徴とする管理サーバ。
【請求項２３】
請求項２１または２２に記載の管理サーバであって、前記端末と前記管理サーバとの間のネットワーク経路の少なくとも一部は無線通信の部分を含む管理サーバ。
【請求項２４】
請求項２１または２２に記載の管理サーバであって、前記管理サーバは、前記管理サーバ上の前記メニューにアプリケーション等を登録し、前記メニュー内に登録されるアプリケーション等は、アプリケーション等ベンダによりコンピュータネットワークを介して前記管理サーバへ送信される管理サーバ。
【請求項２５】
請求項２１または２２に記載の管理サーバであって、前記メニューは、前記端末からアプリケーション等をダウンロード可能なＵＲＬを含む複数の管理レコードに対応している管理サーバ。
【請求項２６】
請求項２１または２２に記載の管理サーバであって、前記メニューは、利用期間を含む複数の管理レコードに対応している管理サーバ。
【請求項２７】
請求項２１または２２に記載の管理サーバであって、前記メニューは、試用期間を含む複数の管理レコードに対応している管理サーバ。
【請求項２８】
請求項２１または２２に記載の管理サーバであって、前記レコードは、会員ＩＤに対応づけられている管理サーバ。
【請求項２９】
請求項２１または２２に記載の管理サーバであって、前記メニューはカテゴリ別に構成されている管理サーバ。
【請求項３０】
請求項２１または２２に記載の管理サーバであって、前記アプリケーション等の利用権の更新は、電子マネーによる使用料の支払いがあったことを条件とし、前記端末に新たな利用期限を通知することにより行われる管理サーバ。